(57)【要約】【課題】  表裏両面から表示を確認することができる表示装置を提供する。【解決手段】  本発明の表示装置は表示体と制御手段を備えている。表示体は導光板と導光板に光を照射する光源を備えている。導光板には種別表示と状況表示の双方又はいずれか一方が透明インクで印刷されている。光源は導光板の端面側に設けられている。制御手段は個室に設置されるセンサ装置からの検知信号に基づいて光源を制御することができる。種別表示や状況表示が印刷された導光板に光が照射されると、導光板に印刷された種別表示や状況表示が表面側及び裏面側から視認できるように表示される。本発明の表示システムは、センサ装置と前記表示装置を備えている。【選択図】図１
2019148670.tif 000002
【特許請求の範囲】
【請求項１】
個室の使用状況を表示する表示装置において、
個室の使用状況が表示される表示体と当該表示体を制御する制御手段を備え、
前記表示体は導光板と当該導光板に光を照射する光源を備え、
前記導光板に前記個室の種別を表す種別表示と当該個室の使用状況を示す状況表示の双方又はいずれか一方が透明インクで印刷され、
前記光源は前記導光板の種別表示及び状況表示を含む部分に光を照射できるように当該導光板の端面側に設けられ、
前記制御手段は個室に設置されるセンサ装置からの検知信号に基づいて光源を制御することができ、
前記種別表示又は／及び状況表示が印刷された導光板に前記光源からの光が照射されると、当該導光板に印刷された種別表示又は／及び状況表示が当該導光板の表面側及び裏面側から視認できるように表示される、
ことを特徴とする表示装置。
【請求項２】
請求項１記載の表示装置において、
導光板を二枚以上備え、
種別表示と状況表示が異なる導光板に印刷され、
前記種別表示が印刷された導光板に光源からの光が常時照射され、当該種別表示が当該導光板の表面側及び裏面側から常時視認することができる、
ことを特徴とする表示装置。
【請求項３】
個室の使用状況を表示する表示装置において、
個室の使用状況が表示される表示体と当該表示体を制御する制御手段を備え、
前記表示体は導光板と当該導光板に光を照射する光源を備え、
前記導光板に前記個室の種別を表す種別表示と当該個室の使用状況を示す状況表示の双方又はいずれか一方が印刷され、
前記種別表示はカラーインクで印刷され、
前記状況表示は透明インクで印刷され、
前記光源は前記導光板の状況表示を含む部分に光を照射できるように当該導光板の端面側に設けられ、
前記制御手段は個室に設置されるセンサ装置からの検知信号に基づいて光源を制御することができ、
前記状況表示が印刷された導光板に前記光源からの光が照射されると、当該導光板に印刷された状況表示が当該導光板の表面側及び裏面側から視認できるように表示される、
ことを特徴とする表示装置。
【請求項４】
個室の使用状況を表示する表示装置において、
個室の使用状況が表示される表示体と当該表示体を制御する制御手段を備え、
前記表示体は二枚以上の導光板と不導光板と導光板に光を照射する光源を備え、
前記導光板は前記不導光板の表裏両面に少なくとも一枚以上ずつ設けられ、
前記不導光板に前記個室の種別を表す種別表示がカラーインクで印刷され、
前記導光板に前記個室の使用状況を示す状況表示が透明インクで印刷され、
前記光源は前記状況表示が印刷された導光板の当該状況表示を含む部分に光を照射できるように当該導光板の端面側に設けられ、
前記制御手段は個室に設置されるセンサ装置からの検知信号に基づいて光源を制御することができ、
前記不導光板の表面側に設けられた導光板に前記光源からの光が照射されると、当該導光板に印刷された状況表示が当該導光板の表面側から視認できるように表示され、
前記不導光板の裏面側に設けられた導光板に前記光源からの光が照射されると、当該導光板に印刷された状況表示が当該導光板の裏面側から視認できるように表示される、
ことを特徴とする表示装置。
【請求項５】
請求項１から請求項４のいずれか１項に記載の表示装置において、
導光板の表面側及び裏面側の双方又はいずれか一方にカバーが設けられた、
ことを特徴とする表示装置。
【請求項６】
個室の使用状況を表示する表示システムにおいて、
前記個室に設置されるセンサ装置と、前記個室の使用状況を表示する表示装置を備え、
前記表示装置として請求項１から請求項５のいずれか１項に記載の表示装置を備えた、
ことを特徴とする表示システム。
【請求項７】
請求項６記載の表示システムにおいて、
センサ装置として、個室の扉の開閉を検知する扉センサと個室内の人の有無を検知する人感センサの双方又はいずれか一方を備えた、
ことを特徴とする表示システム。
【発明の詳細な説明】
【技術分野】
【０００１】
本発明は、トイレをはじめとする各種個室の使用状況を表示する表示装置と、当該表示装置を備えた表示システムに関するものである。
【背景技術】
【０００２】
従来、個室の使用状況を表示する表示システムとして、標識点灯手段を組み入れた案内表示板と人感知センサースイッチを備えたものが知られている（特許文献１）。この表示システムは、人感知センサースイッチでの感知信号に基づいて、個室の使用状況が案内表示板に表示されるものである。
【先行技術文献】
【特許文献】
【０００３】
【特許文献１】特開平０８−１８５１３５号公報
【発明の概要】
【発明が解決しようとする課題】
【０００４】
前記特許文献１の表示システムの案内表示版は、表面側からしか表示内容を確認できないため、ある位置からは見やすいが、別の位置からは見づらいといった不都合が生じることがあった。かかる不都合は、二以上の箇所に案内表示板を設けることによって解決することができるが、二以上の案内表示板を設けるとコストが嵩むという新たな課題が生じる。
【０００５】
本発明の解決課題は、表裏両面から表示を確認することができる表示装置と当該表示装置を用いた表示システムを提供することにある。
【課題を解決するための手段】
【０００６】
［表示装置］
本発明の表示装置は、個室の使用状況を表示する表示装置であって、個室の使用状況が表示される表示体と当該表示体を制御する制御手段を備え、前記表示体は導光板と当該導光板に光を照射する光源を備え、前記導光板に前記個室の種別を表す種別表示と当該個室の使用状況を示す状況表示の双方又はいずれか一方が透明インクで印刷され、前記光源は前記導光板の種別表示及び状況表示を含む部分に光を照射できるように当該導光板の端面側に設けられ、前記制御手段は個室に設置されるセンサ装置からの検知信号に基づいて光源を制御することができ、前記種別表示又は／及び状況表示が印刷された導光板に前記光源からの光が照射されると、当該導光板に印刷された種別表示又は／及び状況表示が当該導光板の表面側及び裏面側から視認できるように表示されるようにしたものである。この場合、導光板を二枚以上とし、種別表示と状況表示を異なる導光板に印刷し、前記種別表示が印刷された導光板に光源からの光が常時照射されるようにし、当該種別表示が当該導光板の表面側及び裏面側から常時視認できるようにすることができる。
【０００７】
本発明の表示装置は、個室の使用状況を表示する表示装置であって、個室の使用状況が表示される表示体と当該表示体を制御する制御手段を備え、前記表示体は導光板と当該導光板に光を照射する光源を備え、前記導光板に前記個室の種別を表す種別表示と当該個室の使用状況を示す状況表示の双方又はいずれか一方が印刷され、前記種別表示はカラーインクで印刷され、前記状況表示は透明インクで印刷され、前記光源は前記導光板の状況表示を含む部分に光を照射できるように当該導光板の端面側に設けられ、前記制御手段は個室に設置されるセンサ装置からの検知信号に基づいて光源を制御することができ、前記状況表示が印刷された導光板に前記光源からの光が照射されると、当該導光板に印刷された状況表示が当該導光板の表面側及び裏面側から視認できるようにしてもよい。
【０００８】
本発明の表示装置は、個室の使用状況を表示する表示装置であって、個室の使用状況が表示される表示体と当該表示体を制御する制御手段を備え、前記表示体は二枚以上の導光板と不導光板と導光板に光を照射する光源を備え、前記導光板は前記不導光板の表裏両面に少なくとも一枚以上ずつ設けられ、前記不導光板に前記個室の種別を表す種別表示がカラーインクで印刷され、前記導光板に前記個室の使用状況を示す状況表示が透明インクで印刷され、前記光源は前記状況表示が印刷された導光板の当該状況表示を含む部分に光を照射できるように当該導光板の端面側に設けられ、前記制御手段は個室に設置されるセンサ装置からの検知信号に基づいて光源を制御することができ、前記不導光板の表面側に設けられた導光板に前記光源からの光が照射されると、当該導光板に印刷された状況表示が当該導光板の表面側から視認できるように表示され、前記不導光板の裏面側に設けられた導光板に前記光源からの光が照射されると、当該導光板に印刷された状況表示が当該導光板の裏面側から視認できるようにすることもできる。
【０００９】
本発明の表示装置は、導光板の表面側及び裏面側の双方又はいずれか一方にカバーを設けることもできる。
【００１０】
［表示システム］
本発明の表示システムは、個室の使用状況を表示する表示システムであって、個室に設置されるセンサ装置と当該個室の使用状況を表示する表示装置を備え、表示装置として前記いずれかの表示装置を備えたものである。センサ装置として、個室の扉の開閉を検知する扉センサと個室内の人の有無を検知する人感センサの双方又はいずれか一方を設置することができる。
【発明の効果】
【００１１】
本発明の表示装置及び表示システムは、表示体が導光板で構成され、あるいは、不導光板の表裏両面の夫々に少なくとも一枚の導光板が配置されているため、表示体に印刷された模様等を表示体の片面からのみならず、両面からも確認することができる。
【図面の簡単な説明】
【００１２】
【図１】（ａ）は本発明の表示システムの概要説明図、（ｂ）は本発明の表示装置の概要説明図。
【図２】表示体の一例を示す分解斜視図。
【図３】（ａ）は表示体の一例を示す正面図、（ｂ）は（ａ）のＸ−Ｘ断面図、（ｃ）は（ａ）のＹ−Ｙ断面図。
【図４】（ａ）は導光板を一枚とした場合の概要説明図、（ｂ）は導光板を二枚とした場合の概要説明図、（ｃ）は導光板を四枚とした場合の概要説明図。
【図５】（ａ）は表示体を壁に垂直に取り付けた場合の正面図、（ｂ）は表示体を天井に取り付けた場合の正面図、（ｃ）は表示体を壁に正対する向きで取り付けた場合の正面図。
【図６】（ａ）は男性トイレ及び女性トイレの双方が空室の場合の表示の一例を示すもの、（ｂ）は女性トイレが使用中で男性トイレが空室の場合の表示の一例を示すもの、（ｃ）は女性トイレが空室で男性トイレが使用中の場合の表示の一例を示すもの、（ｄ）は女性トイレ及び男性トイレの双方が使用中の場合の表示の一例を示すもの。
【図７】表示体の他例を示す分解斜視図。
【図８】（ａ）は表示体の一例を示す正面図、（ｂ）は（ａ）のＺ−Ｚ断面図。
【図９】不導光板の一例を示す分解斜視図。
【図１０】（ａ）はカラーインクで種別表示が印刷され、透明インクで状況表示が印刷された導光板を備えた表示体の一例を示すもの、（ｂ）はカラーインクで種別表示が印刷された導光板と、透明インクで状況表示が印刷された導光板を備えた表示体の一例を示すもの、（ｃ）カラーインクで種別表示が印刷された導光板と、透明インクで状況表示が印刷された二枚の導光板を備えた表示体の一例を示すもの。
【図１１】不導光板の表裏両面に二枚ずつ導光板が設けられた表示体の一例を示すもの。
【図１２】表示システムの一例を説明するブロック図。
【図１３】（ａ）は本発明の表示システムをトイレの使用状況を表示するシステムとして用いる場合の一例を示すもの、（ｂ）は親機、子機及び中継機の関係説明図。
【発明を実施するための形態】
【００１３】
（表示装置の実施形態１）
本発明の表示装置１の実施形態の一例を、図面を参照して説明する。本発明の表示装置１は、個室Ａに設置されるセンサ装置２０の検知信号（当該検知信号を処理した処理信号を含む。以下同じ。）に基づいて、個室Ａの使用状況を表示するものである。
【００１４】
一例として図１（ａ）（ｂ）に示す表示装置１は、表示体２と制御手段（コントローラ）３を備えている。表示体２は、個室Ａの使用状況が表示される部分である。図２及び図３に示す表示体２は、フレーム４と光源５と導光板６とカバー７を備えている。
【００１５】
前記フレーム４は光源５を収容し、導光板６及びカバー７を保持するものである。図３（ｂ）に示すフレーム４は、光源５を配設する光源設置部４ａと、導光板６の一端側を挿入可能な導光板セット部４ｂと、カバー７の一端側を挿入可能なカバーセット部４ｃを備えている。導光板セット部４ｂは複数枚の仕切り片４ｄの間に設けられ、カバーセット部４ｃは仕切り片４ｄとフレームの外壁４ｅの間に設けられている。フレーム４はアルミニウムやＳＵＳといった各種材質製とすることができる。
【００１６】
光源設置部４ａは導光板セット部４ｂの底側部分に設けられ、光源設置部４ａに配設された光源５からの光が、導光板セット部４ｂにセットされた導光板６の端面から当該導光板６内に入射されるようにしてある。導光板セット部４ｂは仕切り片４ｄで仕切られているため、一の導光板セット部４ｂにセットされた導光板６には、他の導光板セット部４ｂの光源設置部４ａに設けられた光源５から入光することはない。
【００１７】
この実施形態のフレーム４は、導光板６及びカバー７の一端側を保持可能な片持ち式のものであるが、フレーム４は、導光板６及びカバー７の両端側を保持可能な両持ち式のものやそれ以外のものとすることできる。また、前記フレーム４の構成は一例であり、これ以外の構成とすることもできる。例えば、フレーム４の内側が仕切られていないもの等を用いることもできる。
【００１８】
前記光源５は導光板６に光を照射するものであり、導光板６の側端面に光を照射できる向き、より具体的には、導光板６のうち透明インクで印刷された部分に光を照射できる向きに設けられている。光源５はフレーム４の光源設置部４ａに設けられている。光源５には図示しない電源部から電源が供給されるようにしてある。光源５は前記制御手段３によって制御されるようにしてある。
【００１９】
前記光源５には、例えば、基板に複数のＬＥＤチップが実装されたＬＥＤモジュールを用いることができる。ＬＥＤモジュールには、例えば、ＲＧＢのＬＥＤチップが実装されたＩＣ内蔵型のもの等を用いることもできる。この場合、ＬＥＤをチップ単位或いはモジュール単位等、任意の単位で光らせることができる。ＬＥＤモジュールの設置数は任意数とすることができる。ＬＥＤモジュールは光源設置部４ａに一列又は複数列に並べて設けることができる。光源５にはこれ以外のものを用いることもできる。
【００２０】
前記導光板６は端面から入射される光源５からの光を拡散させて表裏面に出すものである。導光板６には、例えばアクリル板やガラス板等、光を透過可能な板材を用いることができる。それぞれの導光板６には、個室Ａの種別を示す表示（本願において「種別表示」という）８や個室Ａの状況を示す表示（本願において「状況表示」という）９が印刷される。
【００２１】
種別表示８には、例えば、女性マーク８ａや男性マーク８ｂ、多目的マーク（例えば、車いすマークや授乳室マーク）８ｃ等のピクトサイン（ピクトグラム）等を用いることができ、状況表示９には方形や円形といった図形や「使用中」や「空室」といった文字等を用いることができる。種別表示８や状況表示９はこれ以外であってもよく、用途に応じて適宜決定すればよい。
【００２２】
種別表示８は透明インク又はカラーインクで、状況表示９は透明インクで印刷することができる。透明インクには、例えば、光を散乱させる微粒子を含んだものを用いることができる。アクリル板やガラス板等の透明な物体に透明インクで印刷した場合、外観上はほとんど印刷を視認することはできず、入光されたときにだけ当該印刷部分を視認することができる。透明インクはこれ以外のものであってもよい。カラーインクには、通常のインクジェットプリンタなどに利用されるカラーインクを用いることができる。
【００２３】
図２に示すように、この実施形態では三枚の導光板６（以下、ｎ枚の導光板６について、手前側から順に「第１の導光板６ａ」「第２の導光板６ｂ」「第３の導光板６ｃ」「第ｎの導光板６ｎ」という）を用いており、そのうちの第１の導光板６ａ及び第３の導光板６ｃに状況表示９が、第２の導光板６ｂに種別表示８が印刷されている。具体的には、第１の導光板６ａに状況表示９として女性マーク８ａと同形状の不印刷部１０ａを備えた方形図９ａが印刷され、第２の導光板６ｂに種別表示８として女性マーク８ａ及び男性マーク８ｂが印刷され、第３の導光板６ｃに状況表示９として男性マーク８ｂと同形状の不印刷部１０ｂを備えた方形図９ｂが印刷されている。第１の導光板６ａの方形図９ａは第２の導光板６ｂの女性マーク８ａに重なる位置に印刷され、第３の導光板６ｃの方形図９ｂは第２の導光板６ｂの男性マーク８ｂに重なる位置に印刷されている。この実施形態では、種別表示８及び状況表示９が透明インクで導光板６に印刷されている。
【００２４】
図２及び図３に示す例では、導光板６を三枚用いる場合を一例としているが、導光板６は三枚より少なくすることも多くすることもできる。図４（ａ）は導光板６を一枚とした場合の一例を示すもの、図４（ｂ）は導光板６を二枚とした場合の一例を示すもの、図４（ｃ）は導光板６を四枚とした場合の一例を示すものである。
【００２５】
図４（ａ）の例では、第１の導光板６ａに種別表示８として女性マーク８ａが印刷してあり、その第１の導光板６ａに状況表示９として女性マーク８ａと同形状の不印刷部１０ａを備えた方形図９ａが印刷してある。図４（ｂ）に示す例では、第１の導光板６ａに種別表示８として女性マーク８ａが印刷してあり、第２の導光板６ｂに状況表示９として女性マーク８ａと同形状の不印刷部１０ａを備えた方形図９ａが印刷してある。図４（ｃ）に示す例では、第１の導光板６ａに状況表示９として女性マーク８ａと同形状の不印刷部１０ａを備えた方形図９ａが印刷してあり、第２の導光板６ｂに種別表示８として女性マーク８ａと男性マーク８ｂと多目的マーク８ｃが印刷してあり、第３の導光板６ｃに状況表示９として男性マーク８ｂと同形状の不印刷部１０ｂを備えた方形図９ｂが印刷してあり、第４の導光板６ｄに状況表示９として多目的マーク８ｃと同形状の不印刷部１０ｃを備えた方形図９ｃが印刷してある。
【００２６】
ここでは、導光板６に種別表示８や状況表示９を印刷する場合を一例としているが、導光板６に印刷する表示は、用途に応じて適宜決定することができる。例えば、会議室の使用状況を表示するシステムとする場合、会議室を表すマーク等を印刷することができる。
【００２７】
前記カバー７は外側に配置される導光板６（図２の例では、第１の導光板６ａと第３の導光板６ｃ）の外側に配置して導光板６に塵芥が付着するのを防止するものである。この実施形態のカバー７は、フレーム４のカバーセット部４ｃに挿入可能な厚さの板材である。導光板６と同様、カバー７にはアクリル板やガラス板などの透明板を用いることができる。カバー７は必要に応じて設ければよく、不要な場合には双方又はいずれか一方を省略することができる。
【００２８】
図２及び図３に示すように、前記カバー７ａ、第１の導光板６ａ、第２の導光板６ｂ、第３の導光板６ｃ及びカバー７ｂはこの順番で互いに正対する向きに配置され、一端側が止め具１２によってフレーム４に固定され、他端側が他の止め具１２によって固定されている。カバー７ａと第１の導光板６ａの間、第１の導光板６ａと第２の導光板６ｂの間、第２の導光板６ｂと第３の導光板６ｃの間、第３の導光板６ｃとカバー７ｂの間には隙間が形成されるようにしてある。このような隙間を設けることで、隣接する導光板６間や導光板６とカバー７との間で光の屈折が生じず、ゆがみのない表示が現れる。
【００２９】
表示体２は、図５（ａ）のような壁付、図５（ｂ）のように天井付、図５（ｃ）のような正面付といった様々な方法で、壁Ｗや天井Ｓ等の取付け面に取り付けることができる。壁付及び天井付の場合、表示体２の表裏両面側から模様等を視認することができる。
【００３０】
表示装置１には図示しない切り換え部を設けてあり、この切り換え部を操作することによって、表示装置１を親機、子機、中継機のいずれかに切り替えられるようにしてある。親機はセンサ装置２０の検知信号を受信して表示体２を制御するとともに、その信号を子機や中継機に送信するもの、子機は親機や中継機から送信される検知信号を受信して表示体２を制御するもの、中継機は親機からの検知信号を受信して表示体２を制御するとともに、親機から送信される検知信号を子機に送信するものである。なお、親機、子機、中継機は、設置する施設の広さ等に応じて、適宜数設置することができる。
【００３１】
表示装置１を親機として用いる場合、例えば、図１（ａ）のように個室Ａの袖パネルＢなどに設置し、センサ装置２０から送信される検知信号に基づいて当該親機の表示体２が制御されるようにする。
【００３２】
表示装置１を子機として用いる場合、親機と通信可能な任意の場所に設置し、親機から送信される検知信号に基づいて当該子機の表示体２が制御されるようにする。子機の表示体２には親機の表示体２と同様の表示がなされる。
【００３３】
表示装置１を中継機として用いる場合、親機及び当該親機と通信することのできない場所に設置された子機と通信可能な任意の場所に設置し、親機から送信される信号に基づいて当該中継機の表示体２が制御されるようにする。中継機の表示体２には親機の表示体２と同様の表示がなされる。また、表示装置１を中継機として用いる場合、中継機に送信された信号を子機にも送信し、その信号に基づいて当該子機の表示体２が制御されるようにする。子機の表示体２には親機及び中継機の表示体２と同様の表示がなされる。
【００３４】
前記制御手段３は、センサ装置２０や他の表示装置１から送信される信号に基づいて表示体２を制御するものである。図２及び図３に示す例では、第２の導光板６ｂの種別表示８を含む部分に常時光が照射されるように光源５が制御され、女性トイレが使用中である旨の信号を受信したときに第１の導光板６ａの状況表示９を含む部分に光が照射されるように光源５が制御され、男性トイレが使用中である旨の信号を受信したときに第３の導光板６ｃの状況表示９を含む部分に光が照射されるように光源５が制御される。
【００３５】
図２及び図３に示す実施形態では、第２の導光板６ｂに常時光が照射されるようにしてあるため、種別表示８は常時視認することができる。したがって、男性トイレ及び女性トイレが空室の場合には、図６（ａ）のように、第２の導光板６ｂに印刷された種別表示８のみが表示体２に表示され、女性トイレが使用中で男性トイレが空室の場合、図６（ｂ）のように、第２の導光板６ｂの種別表示８に加えて第１の導光板６ａに印刷された状況表示９が表示され、男性トイレが使用中で女性トイレが空室の場合、図６（ｃ）のように、第２の導光板６ｂの種別表示８に加えて第３の導光板６ｃに印刷された状況表示９が表示され、男性トイレ及び女性トイレの双方が使用中の場合、図６（ｄ）のように、第２の導光板６ｂの種別表示８に加えて第１の導光板６ａ及び第３の導光板６ｃに印刷された状況表示９が表示されることとなる。いずれの場合も、これら種別表示８及び状況表示９を表示体２の表裏両面から視認することができる。
【００３６】
前記制御手段３は、前記以外の制御をできるようにしてもよい。例えば、個室Ａが必要以上に長時間継続使用されている旨の信号を受けたときや、個室Ａ内で異常が発生している旨の信号を受けたときに、光源５を任意のリズムで点滅させるように制御したりすることができる。
【００３７】
（表示装置の実施形態２）
本発明の表示装置１の実施形態の他例を、図面を参照して説明する。この実施形態の表示装置１の基本的な構成は実施形態１の場合と同様である。異なるのは、表示体２を導光板６のみならず不導光板１１を含めた構成とした点である。以下、実施形態１と異なる事項を中心に説明し、共通する事項については適宜その説明を省略する。
【００３８】
図７及び図８に示す表示体２は、フレーム４と光源５と一枚の不導光板１１と二枚の導光板６と二枚のカバー７を備えている。この実施形態のフレーム４は、下向きコ字状の部材である。実施形態１と異なり、フレーム４の内部は仕切られていない。フレーム４の内側上面には、光源５として基板にＲＧＢのＬＥＤチップが実装されたＩＣ内蔵型のＬＥＤモジュールが二つ設けられている。二つのＬＥＤモジュールはフレーム４の長さ方向に沿って一列に設けられている。このＬＥＤモジュールはモジュール単位或いはＬＥＤチップ単位で照射することができるものである。
【００３９】
前記不導光板１１は光を通さないものであればよく、例えば、アルミ板や不透明な樹脂板などを用いることができる。図９に示すように、この実施形態の不導光板１１は導光性のないアルミ製の芯材１１ａの表裏両面に印刷シート１１ｂが貼付されたものである。印刷シート１１ｂには、種別表示８として女性マーク８ａ及び男性マーク８ｂがカラーインクで印刷されている。芯材１１ａの表裏両面には同じ印刷シートが貼付されており、表裏いずれの面側から見たときも、左側に女性マーク８ａが、右側に男性マーク８ｂが表示されるようにしてある。
【００４０】
この実施形態では、芯材１１ａとして導光性のないアルミ板を用いているが、芯材１１ａは樹脂板やアクリル板等の導光性のあるものを用いることもできる。芯材１１ａがアルミ板や不透明な樹脂板等のように導光性のない板の場合には、透明又は不透明なシートにカラーインクで種別表示８が印刷された印刷シート１１ｂを、芯材１１ａがアクリル板等のように導光性を有する板の場合には、不透明な印刷シートにカラーインクで種別表示８が印刷された印刷シート１１ｂを用いるのが好ましい。
【００４１】
図７に示す二枚の導光板６ａ、６ｂは、実施形態１と同様のアクリル板である。第１の導光板６ａには、状況表示９として女性マーク８ａと同形状の不印刷部１０ａを備えた方形図９ａと、男性マーク８ｂと同形状の不印刷部１０ｂを備えた方形図９ｂとが横並びに印刷されている。第２の導光板６ｂにも、第１の導光板６ａと同様の状況表示９が印刷されている。
【００４２】
二枚の導光板６ａ、６ｂの外側に設けられたカバー７ａ、７ｂには、実施形態１と同様のものを用いることができる。カバー７ａ、第１の導光板６ａ、不導光板１１、第２の導光板６ｂ及びカバー７ｂはこの順番で互いに正対する向きに配置され、一端側が止め具１２によってフレーム４に固定され、他端側が他の止め具１２によって固定されている。実施形態１と同様の理由で、カバー７ａと第１の導光板６ａの間、第１の導光板６ａと不導光板１１の間、不導光板１１と第２の導光板６ｂの間、第２の導光板６ｂとカバー７ｂの間には隙間が形成されるようにしてある。
【００４３】
（表示装置の実施形態３）
前記実施形態１では、種別表示８を透明インクで導光板６に印刷する場合を一例としているが、種別表示８はカラーインクで導光板６に印刷することもできる。種別表示８をカラーインクで導光板６に印刷した場合、当該種別表示８は導光板の表裏両面から視認することができる。この場合、種別表示８は光源５からの光の照射の有無にかかわらず、表示体２の表裏両面側から常時視認することができる。
【００４４】
図１０（ａ）は、第１の導光板６ａにカラーインクで種別表示８（女性マーク８ａ）が印刷されると共に、当該第１の導光板６ａに透明インクで状況表示９（女性マーク８ａと同形状の不印刷部１０ａを備えた方形図９ａ）が印刷された場合の例、図１０（ｂ）は、第１の導光板６ａにカラーインクで種別表示８（女性マーク８ａ）が印刷され、第２の導光板６ｂに透明インクで状況表示９（女性マーク８ａと同形状の不印刷部１０ａを備えた方形図９ａ）が印刷された場合の例、図１０（ｃ）は第１の導光板６ａに透明インクで状況表示９（女性マーク８ａと同形状の不印刷部１０ａを備えた方形図９ａ）が印刷され、第２の導光板６ｂにカラーインクで種別表示８（女性マーク８ａ及び男性マーク８ｂ）が印刷され、第３の導光板６ｃに透明インクで状況表示９（男性マーク８ｂと同形状の不印刷部１０ｂを備えた方形図９ｂ）が印刷された場合の例である。
【００４５】
（表示装置の実施形態４）
前記実施形態１では、種別表示８及び状況表示９を導光板６に直接印刷する場合を一例としているが、導光板６に直接印刷する代わりに、種別表示８や状況表示９を印刷したシートを導光板６に貼付することもできる。なお、本願の特許請求の範囲では、導光板６に直接印刷する場合及び透明インクで模様等を印刷したシートを導光板６に貼付する場合を含む意味で印刷と表現している。
【００４６】
（表示装置の実施形態５）
前記実施形態２では、不導光板１１の表裏両面に導光板６が一枚ずつ設けられた場合を一例としているが、図１１に示すように、導光板６は不導光板１１の表裏両面に二枚以上ずつ設けることもできる。図１１では、不導光板１１の手前側の第１の導光板６ａに女性マーク８ａと同形状の不印刷部１０ａを備えた方形図９ａが、不導光板１１の手前側の第２の導光板６ｂに男性マーク８ｂと同形状の不印刷部１０ｂを備えた方形図９ｂが印刷され、不導光板１１の奥側の第３の導光板６ｃに男性マーク８ｂと同形状の不印刷部１０ｂを備えた方形図９ｂが、不導光板１１の奥側の第４の導光板６ｄに女性マーク８ａと同形状の不印刷部１０ａを備えた方形図９ａが印刷されている。なお、図１１に示す光源５のうち二重線の部分を点灯させることで、導光板６に印刷された状況表示９が視認できるようになる。
【００４７】
（表示装置の実施形態６）
前記実施形態２では、芯材１１ａの表裏両面に種別表示８が印刷された印刷シート１１ｂを貼付する場合を一例としているが、芯材１１ａに印刷シート１１ｂを貼付する代わりに、芯材１１ａに種別表示８を直接印刷することもできる。
【００４８】
（表示装置のその他の実施形態）
なお、前記実施形態１〜６に記載の事項は、他の実施形態において適宜適用することができる。
【００４９】
（表示システムの実施形態）
本発明の表示システムの一例を、図面を参照して説明する。一例として図１２に示す表示システムは、センサ装置２０と表示装置１を備えている。表示装置１には、前記表示装置の実施形態において説明した各種表示装置１を用いることができる。ここでは、表示装置１が図２に示す表示装置１の場合を一例とする。
【００５０】
前記センサ装置２０は、個室Ａ内の使用状況を検知してその検知信号を処理する装置である。センサ装置２０は個室Ａ毎に設置される。図１２に示すように、この実施形態のセンサ装置２０は、人感センサ２１と、扉センサ２２と、処理手段２３と、送受信手段２４を備えている。人感センサ２１と扉センサ２２はいずれか一方のみとすることもできる。
【００５１】
前記人感センサ２１は個室Ａ内の人の動きを検知するものである。人感センサ２１には各種のものを用いることができるが、この実施形態では受動赤外線検知器（パッシブセンサ）を用いている。パッシブセンサは、人を検知すると数秒間（通常は約２秒間）検知信号を出力し続けるものであり、人が動いている間（人感センサ２１が人を検知している間）は、約２秒間の信号出力を繰り返す。パッシブセンサは人から放射される熱線の量の変化を検知するものであり、人であることまでを認識するものではないが、本願では、人から放射される熱線の量の変化を検知するセンサを人感センサ２１と称する。説明の便宜上、本願では、人感センサ２１が人を検知している状態を人感センサ２１がＯＮであると表現し、人感センサ２１が人を検知していない状態を人感センサ２１がＯＦＦであると表現する。
【００５２】
前記扉センサ２２は個室Ａの扉Ｄの開閉を検知するものである。この実施形態では、扉センサ２２として磁石２２ａとセンサ部２２ｂを備えた既存の磁気センサを用いている（図１（ａ））。磁石２２ａを個室Ａの扉Ｄの上面に設けるとともに、センサ部２２ｂを扉Ｄの上方フレームＦに取り付けて、扉Ｄの開閉を検知できるようにしてある。扉センサ２２はこれ以外であってもよく、例えば、リードスイッチや三軸デジタルコンパス、錠前の開閉により作動する錠前センサなどで代用することもできる。説明の便宜上、本願では、扉センサ２２が、扉Ｄが閉じていることを検知している状態を扉センサ２２がＯＮであると表現し、扉センサ２２が、扉Ｄが開いていることを検知している状態を扉センサ２２がＯＦＦであると表現する。
【００５３】
前記処理手段２３は、両センサ２１、２２での検知信号を処理するものである。この実施形態では、人感センサ２１と扉センサ２２の双方がＯＮの場合に個室Ａが使用中であるものと処理され、いずれか一方のみがＯＮの場合（いずれか一方がＯＦＦの場合）には個室Ａが空室であるものとして処理されるようにしてある。このほか、本実施形態では、処理手段２３において、両センサ２１、２２がＯＮとなってから所定時間が経過しても扉センサ２２が扉Ｄの開放を検知しないときは、当該個室Ａが必要以上に長時間継続使用されているものとして処理され、両センサ２１、２２がＯＮとなってから所定時間経過しても人感センサ２１が人の動きを検知しないときは、個室Ａ内で人が倒れている等の異常が発生しているものとして処理されるようにしてある。処理手段２３での処理結果は電気信号として、制御手段３に送信されるようにしてある。検知信号の送信は前記送受信手段２４によって行われる。
【００５４】
（使用例）
本発明の表示システム（表示装置）の使用例の一例を、図１３（ａ）（ｂ）を参照して説明する。図１３（ａ）は本発明の表示システムを、喫茶店（カフェ）に設置されたトイレの使用状況を表示するシステムとして適用した場合の例である。
【００５５】
図１３（ａ）において、Ａ１は男性トイレ、Ａ２は女性トイレである。この実施形態では、男性トイレＡ１、女性トイレＡ２、店内１階の壁、店内１階の階段横、店内２階のそれぞれに一つ（合計五つ）の表示装置１を設置している。男性トイレＡ１及び女性トイレＡ２に設置した表示装置１は親機、店内１階の壁及び店内２階に設置した表示装置１は子機、店内１階の階段横に設置した表示装置１は中継機である。説明の便宜上、以下では、男性トイレＡ１に設置した表示装置１を親機Ｘ１と、女性トイレＡ２に設置した表示装置１を親機Ｘ２と、店内１階の壁に設置した表示装置１を子機Ｙ１と、店内２階に設置した表示装置１を子機Ｙ２と、店内１階の階段横に設置した表示装置１を中継機Ｚとする。
【００５６】
（１）男性トイレＡ１に設けられたセンサ装置２０によって、男性トイレＡ１が使用中であると判断されると、当該センサ装置２０から親機Ｘ１に信号が送信され、親機Ｘ１の表示体２に男性トイレＡ１が使用中である旨の表示が表示される（図６（ｃ）参照）。親機Ｘ１に送信された検知信号は親機Ｘ１から子機Ｙ１及び中継機Ｚに送信される。
（２）子機Ｙ１が親機Ｘ１からの検知信号を受信すると、当該子機Ｙ１の制御手段３によって当該子機Ｙ１の光源５が制御され、当該子機Ｙ１の表示体２に親機Ｘ１と同様の表示がなされる。
（３）中継機Ｚが親機Ｘ１からの検知信号を受信すると、当該中継機Ｚの制御手段３によって当該中継機Ｚの光源５が制御され、当該中継機Ｚの表示体２に親機Ｘ１と同様の表示がなされる。中継機Ｚに送信された検知信号は中継機Ｚから子機Ｙ２に送信される。
（４）子機Ｙ２が中継機Ｚからの検知信号を受信すると、当該子機Ｙ２の制御手段３によって当該子機Ｙ２の光源５が制御され、当該子機Ｙ２の表示体２に親機Ｘ１と同様の表示がなされる。
【００５７】
（その他の使用例）
前記使用例では、男性トイレＡ１の使用状況が変化する場合を一例として説明しているが、女性トイレＡ２の使用状況が変化する場合も同様である。
【００５８】
前記使用例では、親機二台、子機二台、中継機一台の場合を一例としているが、親機、子機及び中継機の設置数は、用途や設置する施設に応じて適宜変更することができる。
【産業上の利用可能性】
【００５９】
本発明の表示システム及び表示装置１は、トイレのほか、会議室や更衣室といった各種個室Ａの使用状況を表示するシステムとして利用することができるものである。
【符号の説明】
【００６０】
１      表示装置
２      表示体
３      制御手段
４      フレーム
４ａ    光源設置部
４ｂ    導光板セット部
４ｃ    カバーセット部
４ｄ    仕切り片
４ｅ    外壁
５      光源
６、６ａ〜６ｄ  導光板
７、７ａ〜７ｂ  カバー
８、８ａ〜８ｃ  種別表示
９、９ａ〜９ｃ  状況表示
１０ａ〜１０ｃ  不印刷部
１１    不導光板
１１ａ  芯材
１１ｂ  印刷シート
１２    止め具
２０    センサ装置
２１    人感センサ
２２    扉センサ
２２ａ  磁石
２２ｂ  センサ部
２３    処理手段
２４    送受信手段
Ａ      個室
Ａ１    男性トイレ
Ａ２    女性トイレ
Ｂ      袖パネル
Ｄ      扉
Ｆ      上方フレーム
Ｓ      天井
Ｗ      壁
Ｘ１、Ｘ２  親機
Ｙ１、Ｙ２  子機
Ｚ      中継機
【図１】
2019148670.tif 000003
【図２】
2019148670.tif 000004
【図３】
2019148670.tif 000005
【図４】
2019148670.tif 000006
【図５】
2019148670.tif 000007
【図６】
2019148670.tif 000008
【図７】
2019148670.tif 000009
【図８】
2019148670.tif 000010
【図９】
2019148670.tif 000011
【図１０】
2019148670.tif 000012
【図１１】
2019148670.tif 000013
【図１２】
2019148670.tif 000014
【図１３】
2019148670.tif 000015